(57)【特許請求の範囲】
【請求項１】
扉に円形の錠孔を形成し、扉端面からラッチボルトが出退するラッチ本体を扉内に埋設し、このラッチ本体のハブを前記錠孔の中心に配置し、扉の内外面に前記錠孔を塞ぐ内外座板を設け、この内外座板を錠孔内でラッチ本体の外側に配置される連結手段で互いに連結し、前記内外各座板に保持されたハンドルを前記ハブに貫通した基軸に嵌合し、前記内外座板の少なくとも一方にラッチ本体に係合して相対回動を規制する廻り止め手段を錠孔内へ突出状に設けており、
前記廻り止め手段は、前記座板にプレートを設け、このプレートの中央部を切り起こしてラッチ本体に係合する係合片を形成していることを特徴とするラッチ錠。
【請求項２】
前記係合片は、ラッチ本体の上下面に係合するべく、前記プレートの中央部を上下各方向に１片又は２片切り起こして形成していることを特徴とする請求項１に記載のラッチ錠。
【請求項３】
前記連結手段は、両端に雌ネジを形成した雌ネジ管と、内外各座板を貫通して雌ネジ管に螺合するネジとを有し、前記廻り止め手段のプレートは、一方の座板に雌ネジ管とネジとを介して取り付けていることを特徴とする請求項１又は２に記載のラッチ錠。
【発明の詳細な説明】
【０００１】
【発明の属する技術分野】
本発明は、ハンドルを回動することにより解錠するラッチ錠に関する。
【０００２】
【従来の技術】
一般に、ラッチ錠には、円筒ノブ式とハンドル式とがある。円筒ノブ式は実開昭６０−１２１０７０号公報に開示されているように、「外ノブおよび内ノブに形成したローズ支持筒の内側それぞれに筒状スピンドルを取付け、各スピンドルの外周対向位置にはスピンドルの先端部から軸方向に延びる連動板挿入用の切欠部を形成し、この切欠部に対してラッチボルト作動用の連動板を着脱自在に取り付けた」という構造になっている。
【０００３】
これに対して、ハンドル式の場合は、特開平８−７４４６０号公報に開示されているように、「扉を挟む一対の座板を有し、該座板に支持されたハンドルによってラッチを操作するラッチ錠において、深穴を形成した取付脚を複数本突設した座板と、穴を形成した凸部を上記取付脚と対向して突設した座板と、上記取付脚の深穴と凸部の穴とに嵌入する連結ピンを具備した」という構造になっている。
【０００４】
ところで近年、扉錠にもバリヤフリーが要求されており、把持しなくてはならない円筒ノブ式から押すだけでよいハンドル式が採用されるようになり、既設のものもハンドル式に変更されることが多い。
【０００５】
【発明が解決しようとする課題】
ラッチ錠を円筒ノブ式からハンドル式する場合、座板を単に円形状にするだけでは変更できなく、内外の座板を互いに連結して扉を挟持していても、座板が廻ってしまうという問題が出てくる。
この座板をラッチ本体に対してネジ止めするということは考えられるが、ラッチ本体の構造が複雑になり、また取り付け作業が極めて困難になる。
【０００６】
本発明は、このような従来技術の問題点を総て解決できるようにしたラッチ錠を提供することを目的とする。
本発明は、座板にラッチ本体に係合して相対回動を規制する廻り止め手段を設けておくことにより、座板の廻り止めを簡単かつ容易に行えるようにしたラッチ錠を提供することを目的とする。
【０００７】
【課題を解決するための手段】
本発明における課題解決のための第１の具体的手段は、扉２に円形の錠孔３を形成し、扉２端面からラッチボルト４が出退するラッチ本体５を扉２内に埋設し、このラッチ本体５のハブ６を前記錠孔３の中心に配置し、扉２の内外面に前記錠孔３を塞ぐ内外座板７、７を設け、この内外座板７、７を錠孔３内でラッチ本体５の外側に配置される連結手段９で互いに連結し、前記内外各座板７、７に保持されたハンドル１０を前記ハブ６に貫通した基軸１１に嵌合し、前記内外座板７、７の少なくとも一方にラッチ本体５に係合して相対回動を規制する廻り止め手段１２を錠孔３内へ突出状に設けており、
前記廻り止め手段は、前記座板にプレートを設け、このプレートの中央部を切り起こしてラッチ本体に係合する係合片を形成していることである。
【０００８】
これによって、ラッチ本体５の構造を変更することなく、座板７に廻り止め手段１２を取り付けておくだけで、座板７の廻り止めが簡単にでき、円筒ノブ式からハンドル式への変更が簡単かつ容易になる。また、廻り止め手段１２の製作が簡単かつ容易になる。
本発明における課題解決のための第２の具体的手段は、第１の具体的手段に加えて、前記係合片１４は、ラッチ本体５の上下面に係合するべく、前記プレート１３の中央部を上下各方向に１片又は２片切り起こして形成していることである。
【０００９】
これによって、上下の係合片１４によってラッチ本体５を挟むので、一方の座板７をラッチ本体５に対して仮止めしておくことができ、座板７の取り付けが極めて容易になる。
本発明における課題解決のための第３の具体的手段は、第１又は２の具体的手段に加えて、前記連結手段９は、両端に雌ネジを形成した雌ネジ管１５と、内外各座板７、７を貫通して雌ネジ管１５に螺合するネジ１６とを有し、前記廻り止め手段１２のプレート１３は、一方の座板に雌ネジ管１５とネジ１６とを介して取り付けていることである。
【００１０】
座板７に対するプレート１３の取り付けを、連結手段９で行っておくことができ、構造が簡単になる。
【００１１】
【発明の実施の形態】
以下、本発明の実施の形態を図面に基づいて説明する。
図１〜５において、１はラッチ錠で、円筒ノブ式錠が装着されていた扉２に取り付けられている。扉２には、円筒ノブ式錠装着用の円形状の錠孔３が形成され、この錠孔３から扉２内を通ってその端面まで角穴が形成され、その角穴にラッチ本体５が挿入埋設されている。
【００１２】
ラッチ本体５は上下面が円弧で断面形状が略四角形になっており、その前端には取り付け板２０が設けられ、扉２の端面にネジ止めされており、ラッチボルト４はこの取り付け板２０から出退自在になっており、このラッチボルト４を出退させるハブ６は錠孔３と同心に配置され、その内部には四角孔が形成されていて、基軸１１が貫通されている。
【００１３】
前記ラッチ本体５の内部構造は、従来の最も簡単な構造のハンドル式ラッチ錠と同様であり、突出スプリング１９の付勢力で突出し、基軸１１を介してハブ６を回転することにより、突出スプリング１９に抗してラッチボルト４を後退可能になっている。このラッチボルト４は外側からの押動力によっても後退可能である。
【００１４】
扉２の内外面には、円形の錠孔３を塞ぐべく円形状に形成された座板７、７が設けられている。この内外の座板７、７はそれぞれハンドル１０を回転自在に有し、連結手段９で互いに連結されている。
前記各ハンドル１０は角軸部１０Ａを有し、この角軸部１０Ａを座板７に貫通して抜け止め状態に止められており、角軸部１０Ａが基軸１１に嵌合される。この角軸部１０Ａにはバネ受け体２２が嵌合装着され、このバネ受け体２２にコイルバネ２１が保持されている。
【００１５】
前記コイルバネ２１の両端は平行に配置され、座板７に形成した受け部７Ａに挟むように係合しており、また、コイルバネ２１の両端間にはバネ受け体２２の折り曲げ片２２Ａが挿入されている。
従って、ハンドル１０を回動するとバネ受け体２２が一体的に回動し、折り曲げ片２２Ａがコイルバネ２１の一端を受け部７Ａから離すように移動させる。このとき、コイルバネ２１の他端が受け部７Ａに係合しているので、コイルバネ２１をつる巻き方向に変形させ、その変形の復元力がハンドル１０に戻り回動力として与えられる。
【００１６】
前記連結手段９は、両端に雌ネジを形成した雌ネジ管１５と、内外各座板７、７を貫通して雌ネジ管１５に螺合するネジ１６とを有する。前記雌ネジ管１５は扉２の厚さ寸法よりも短く形成されており、ネジ１６を締め上げることにより、内外座板７、７が扉２を挟持するように取り付けられる。
前記内外座板７、７の少なくとも一方には、ラッチ本体５に係合して相対回動を規制する廻り止め手段１２が錠孔３内へ突出状に設けられている。この廻り止め手段１２は、１枚の円形プレート１３の中央部を切り起こして、ラッチ本体５に係合する係合片１４を形成している。
【００１７】
また、プレート１３にはネジ１６を貫通する孔２４が形成されており、座板７及びプレート１３に貫通したネジ１６に雌ネジ管１５を螺合することにより、プレート１３と雌ネジ管１５とを座板７に取り付け固定するようになっている。
図１〜５に示すプレート１３は、中央部に略Ｍ字状の切れ目２３を入れ、上下の三角形部分を直角に起こし、上下一方に１片、他方に２片の係合片１４を切り起こし形成している。
【００１８】
上下係合片１４間距離は、ラッチ本体５の上下寸法と同一又は僅かに短く設定されている。
図６、７のプレート１３の第２の実施の形態は、切り起こし用の切れ目２３を幅のある溝に形成し、係合片１４の起こし作業を容易にできるようにしている。
図８のプレート１３の第３の実施の形態は、切り起こし用の切れ目２３を略Ｚ字形状にしたものであり、係合片１４は上下各１片ずつ設けられており、第１、２の実施の形態と同様に、ラッチ本体５を上下から挟んで、ラッチ本体５に対して座板７の廻り止めをするようになっている。
【００１９】
図９のプレート１３の第４の実施の形態は、切り起こし用の切れ目２３を略コ字形状にしたものであり、係合片１４は上下一方のみ設けられており、ラッチ本体５の上下片面とのみ平行に当接し、その平行な当接によってラッチ本体５に対して座板７が廻り止めされる。
前記ラッチ錠１の取り付けは、ハンドル１０を保持した一方の座板７にネジ１６を貫通し、このネジ１６にプレート１３を嵌合しかつ雌ネジ管１５を螺合し、これらを一体ものとしておく。
【００２０】
前記プレート１３の係合片１４を扉２の内外一方の面から錠孔３内に挿入しながら、扉２に予め埋設したラッチ本体５の上下面に当接し、座板７を錠孔３の中心に略合わせるように配置する。ラッチ本体５の上下面が円弧形状である場合、係合片１４の係合が円滑にできる。
また、係合片１４が上下一対ある場合、一方の座板７は係合片１４をラッチ本体５に係合した状態でラッチ本体５に保持され、基軸１１をハブ６に挿通しながら、一方のハンドル１０の角軸部１０Ａに挿入できる。
【００２１】
ハンドル１０を保持した他方の座板７を扉２の内外他方の面に近づけ、角軸部１０Ａを基軸１１に嵌合し、その座板７に貫通したネジ１６を前記雌ネジ管１５に螺合し、このネジ１６を締め上げて内外座板７、７で扉２を挟持する。
このように、ラッチ錠１の取り付けにおいては、一方の座板７は、基軸１１及びプレート１３を介してラッチ本体５に一時的に保持しておくことができ、上下姿勢も略決められるので、他方の座板７を対向配置するのが容易かつ正確にでき、ネジ１６を螺合する等の取り付け作業が極めて簡便となり、錠孔３が円筒ノブ式錠を装着してあった円形孔であっても、プレート１３がラッチ本体５に係合するので、内外座板７、７は扉２に対して廻ることがなく、ハンドル１０の回動操作が正確にできるようになる。
【００２２】
なお、本発明は前記実施の形態に限定されるものではなく、種々変形することができる。例えば、廻り止め手段１２のプレート１３は内外座板７、７の両方に設けてもよく、連結手段９と別個に座板７に取り付けてもよく、円形のみを示しているが、楕円形、小判形、その他、角形でもよい。また、プレート１３は金属で形成されているが、プラスチックで一体成形してもよい。
【００２３】
【発明の効果】
以上詳述した本発明によれば、錠孔３が円筒ノブ式錠を装着してあった円形孔であっても、プレート１３をラッチ本体５に係合することにより、内外座板７、７を扉２に対して廻り止めすることができ、ハンドル１０の回動操作が正確にでき、扉２対するラッチ錠１の取り付けが容易になり、円筒ノブ式からハンドル式ラッチ錠に容易に変更できる。
【図面の簡単な説明】
【図１】  本発明の実施の形態を示す分解斜視図である。
【図２】  同断面側面図である。
【図３】  同一部断面側面図である。
【図４】  廻り止め手段のプレートの切り起こし前の正面図である。
【図５】  プレートの切り起こし後の平面図である。
【図６】  廻り止め手段の第２の実施の形態のプレートの切り起こし前の正面図である。
【図７】  第２の実施の形態のプレートの切り起こし後の正面図である。
【図８】  廻り止め手段の第３の実施の形態のプレートの切り起こし前の正面図である。
【図９】  廻り止め手段の第４の実施の形態のプレートの切り起こし前の正面図である。
【符号の説明】
１          ラッチ錠
２          扉
３          錠孔
４          ラッチボルト
５          ラッチ本体
６          ハブ
７          座板
９          連結手段
１０        ハンドル
１１        基軸
１２        廻り止め手段
１３        プレート
１４        係合片
１５        雌ネジ管
１６        ネジ
【図１】
0004750930.tif 000002
【図２】
0004750930.tif 000003
【図３】
0004750930.tif 000004
【図４】
0004750930.tif 000005
【図５】
0004750930.tif 000006
【図６】
0004750930.tif 000007
【図７】
0004750930.tif 000008
【図８】
0004750930.tif 000009
【図９】
0004750930.tif 000010